(57)【要約】      （修正有）【課題】電磁波の照射領域を規制し、不要な箇所への照射を防止し、インク等の劣化を抑制する。【解決手段】照射装置１１に、電磁波を照射する照射部２０と、基板１３に形成された貫通孔１７を有する規制部２１を備え、照射された前記電磁波の照射方向を規制する。【選択図】図３
2012187530.tif 000002
【特許請求の範囲】
【請求項１】
電磁波を照射する照射部と、
照射された前記電磁波の照射方向を規制する規制部と、を備えたことを特徴とする照射装置。
【請求項２】
請求項１に記載の照射装置において、
前記規制部は、
基板と、
前記基板に形成された貫通孔と、を有し、
前記照射部は、
前記貫通孔を介して電磁波を照射すること特徴とする照射装置。
【請求項３】
請求項１または２に記載の照射装置において、
前記規制部には、照射された前記電磁波を集光させる集光部を備えたことを特徴とする照射装置。
【請求項４】
請求項２または３に記載の照射装置において、
前記照射部が前記貫通孔毎に対応して設けられたことを特徴とする照射装置。
【請求項５】
請求項１〜４のいずれか一項に記載の照射装置と、
前記電磁波の照射によって硬化する機能液を液滴として吐出する吐出ヘッドと、を備えたことを特徴とするヘッドユニット。
【請求項６】
請求項５に記載のヘッドユニットにおいて、
前記規制部は、前記吐出ヘッドのノズルプレートであることを特徴とするヘッドユニット。
【請求項７】
請求項５または６に記載のヘッドユニットにおいて、
一方の前記吐出ヘッドと他方の前記吐出ヘッドとの間に、前記照射装置が配置されたことを特徴とするヘッドユニット。
【請求項８】
請求項５〜７のいずれか一項に記載のヘッドユニットを搭載したことを特徴とする液滴吐出装置。
【発明の詳細な説明】
【技術分野】
【０００１】
本発明は、照射装置、ヘッドユニット、液滴吐出装置に関する。
【背景技術】
【０００２】
従来から、電磁波の照射によって硬化するインクを噴出するヘッド部と、電磁波を照射する照射部と、を有する液滴吐出装置が知られている（例えば、特許文献１参照）。
【先行技術文献】
【特許文献】
【０００３】
【特許文献１】特開２００４−１４３７号公報
【発明の概要】
【発明が解決しようとする課題】
【０００４】
しかしながら、上記特許文献１に記載された液滴吐出装置では、電磁波を照射したとき、不要な箇所にも照射してしまい、インクの劣化等を引き起こしてしまう、という課題があった。
【課題を解決するための手段】
【０００５】
本発明は、上述の課題の少なくとも一部を解決するためになされたものであり、以下の形態又は適用例として実現することが可能である。
【０００６】
［適用例１］本適用例にかかる照射装置は、電磁波を照射する照射部と、照射された前記電磁波の照射方向を規制する規制部と、を備えたことを特徴とする。
【０００７】
この構成によれば、照射された電磁波の照射方向は、規制部によって規制されながら照射される。従って、規制部を所望の形状に形成することにより、所望の領域にのみ電磁波を照射させることができるので、不要な場所への電磁波の照射を抑制することができる。
【０００８】
［適用例２］上記適用例にかかる照射装置の前記規制部は、基板と、前記基板に形成された貫通孔と、を有し、前記照射部は、前記貫通孔を介して電磁波を照射すること特徴とする。
【０００９】
この構成によれば、照射された電磁波の照射方向を、貫通孔によって規制させることができる。
【００１０】
［適用例３］上記適用例にかかる照射装置の前記規制部には、照射された前記電磁波を集光させる集光部を備えたことを特徴とする。
【００１１】
この構成によれば、電磁波の照射方向を確実に規制するとともに、電磁波の照射強度を高めることができる。
【００１２】
［適用例４］上記適用例にかかる照射装置では、前記照射部が前記貫通孔毎に対応して設けられたことを特徴とする。
【００１３】
この構成によれば、貫通孔が複数形成された場合、貫通孔毎に対応して照射部が設けられる。そして、各照射部を適宜制御することにより、無駄な消費電力を低減させるとともに、作業性を向上させることができる。
【００１４】
［適用例５］本適用例にかかるヘッドユニットは、上記の照射装置と、前記電磁波の照射によって硬化する機能液を液滴として吐出する吐出ヘッドと、を備えたことを特徴とする。
【００１５】
この構成によれば、吐出ヘッドから吐出された機能液に対して効率よく電磁波を照射させ、機能液を硬化させることができる。なお、照射された電磁波の照射方向は、規制部によって規制されるため、不要箇所への電磁波の照射が防止され、塗布された機能液の劣化等を抑制することができる。
【００１６】
［適用例６］上記適用例にかかるヘッドユニットの前記規制部は、前記吐出ヘッドのノズルプレートであることを特徴とする。
【００１７】
この構成によれば、ノズルプレートに形成されたノズル孔を利用して、電磁波の照射方向を規制することができる。
【００１８】
［適用例７］上記適用例にかかるヘッドユニットでは、一方の前記吐出ヘッドと他方の前記吐出ヘッドとの間に、前記照射装置が配置されたことを特徴とする。
【００１９】
この構成によれば、装置の構成を簡略化させることができる。
【００２０】
［適用例８］本適用例にかかる液滴吐出装置は、上記のヘッドユニットを搭載したことを特徴とする。
【００２１】
この構成によれば、優れた描画を行う装置を提供することができる。
【図面の簡単な説明】
【００２２】
【図１】液滴吐出装置の構成を示す概略図。
【図２】ヘッドユニットの構成を示し、（ａ）は側面図、（ｂ）は平面図。
【図３】照射装置の構成を示す概略図。
【図４】液滴吐出装置の動作を示す説明図。
【図５】変形例にかかる照射装置の構成を示す概略図。
【発明を実施するための形態】
【００２３】
本発明の実施形態について説明する。
【００２４】
まず、液体吐出装置の構成について説明する。図１は、液体吐出装置の構成を示す概略図である。図１に示すように、液体吐出装置１は、媒体送り機構２、ヘッド走査機構３、ヘッドユニット４及びコントローラー５等を備える。液体吐出装置１は、例えば、シリアルヘッド方式のインクジェット印刷方式の装置である。
【００２５】
媒体送り機構２は、ガラスやフィルム、ＩＣ、ＩＣパッケージ等の印刷対象物となる記録媒体６を載置するステージ７、およびステージ７を予め定められた媒体搬送方向（Ｙ軸方向）に搬送するフィード軸８を備える。そして、媒体送り機構２は、記録媒体６の搬送を指示する搬送指令がコントローラー５から出力されると、ステージ７に記録媒体を保持させ、フィード軸８にステージ７を媒体搬送方向に搬送させることで、記録媒体６を当該媒体搬送方向に搬送する。
【００２６】
ヘッド走査機構３は、媒体送り機構２の上方に配置されており、ヘッドユニット４を媒体搬送方向と直交するヘッド走査方向（Ｘ軸方向）に沿って往復させるヘッドスキャン軸９を備える。そして、ヘッド走査機構３は、ヘッドユニット４の往復を指示する往復指令がコントローラー５から出力されると、記録媒体６が印刷幅搬送されるたびに、ヘッドスキャン軸９にヘッドユニット４を往復させることで、記録媒体６の上方をヘッドユニット４が往復する。
【００２７】
次に、ヘッドユニット４の構成について説明する。図２は、ヘッドユニット４の構成を示し、（ａ）は側面図であり、（ｂ）は平面図である。図２に示すように、ヘッドユニット４は、外枠のキャリッジ１０と、キャリッジ１０に配置された吐出ヘッド１２（１２ａ，１２ｂ）および照射装置１１を備えている。
【００２８】
吐出ヘッド１２は、機能液を液滴として吐出するものであり、本実施形態では、電磁波（例えば、ＵＶ）を照射すると硬化する機能液を液滴として吐出する。本実施形態では、Ｘ軸方向（ヘッド走査方向）に第１吐出ヘッド１２ａと第２吐出ヘッド１２ｂとが並んで設置されている。そして、吐出ヘッド１２ａ，１２ｂのノズルプレート１３に形成されたノズル孔１７から液滴が吐出されるように構成されている。
【００２９】
照射装置１１は、電磁波（例えば、ＵＶ）を照射するものである。本実施形態では、吐出ヘッド１２ａ，１２ｂから吐出された機能液に対して電磁波を照射することにより、機能液を硬化させることができる。そして、照射装置１１は、第１吐出ヘッド１２ａと第２吐出ヘッド１２ｂとの間に配置されている。
【００３０】
次に、照射装置の構成について説明する。図３は、照射装置の構成を示す概略図である。図３に示すように、照射装置１１は、電磁波を照射する照射部２０と、照射された電磁波の照射方向を規制する規制部２１とを備えている。規制部２１は、基板と、基板に形成された貫通孔と、を有し、照射部２０は、貫通孔を介して電磁波を照射するように構成されている。さらに、本実施形態では、基板に複数の貫通孔が形成され、照射部が貫通孔毎に対応して設けられている。なお、本実施形態における規制部２１は、基板としてのノズルプレート１３と、ノズルプレート１３に形成された貫通孔としてのノズル孔１７とから構成されている。そして、コントローラー５から各照射部２０に対して駆動信号が送信され、各照射部２０は、送信された駆動信号に基づいて、駆動（照射）するように構成されている。照射された電磁波は、ノズル孔１７を通過して外部に照射される。すなわち、ノズル孔１７によって、電磁波の照射方向が規制される。これにより、電磁波の照射領域を規制することができる。
【００３１】
次に、液滴吐出装置の動作について説明する。図４は、液滴吐出装置の動作を示す説明図である。所定の動作プログラムに基づいて、コントローラー５から搬送指令が媒体送り機構２に出力され、往復指令がヘッド走査機構３に出力される。そして媒体送り機構２およびヘッド走査機構３によって、記録媒体６が媒体搬送方向に印刷幅分ずつ搬送され、印刷幅分搬送されるたびに、記録媒体６の上方をヘッドユニット４が一往復する。また、上記動作に連動してコントローラー５から印刷指令が吐出ヘッド１２に出力される。そして吐出ヘッド１２によって、記録媒体６の上方をヘッドユニット４がヘッド幅ずつ移動するたびに、任意のノズル孔１７から記録媒体６の上面に液滴Ｄが適宜吐出される。吐出された液滴Ｄは記録媒体６上に液滴ドットｄとして塗布される。また、照射装置１１によって、ヘッドユニット４が往復移動されているときに、所定のノズル孔１７を通して電磁波が照射され、電磁波が照射された液滴ドットｄが硬化する。このようにして、記録媒体６上に画像が形成される。
【００３２】
以上、上記実施形態によれば、以下の効果を得ることができる。
【００３３】
（１）照射装置１１は、照射部２０とノズルプレート１３に形成されたノズル孔１７とが設けられ、照射部２０から電磁波が照射されると、電磁波は、ノズル孔１７を介して、機能液に照射される。すなわち、照射された電磁波光の照射方向が規制され、これにより、照射領域が規制される。従って、不必要な領域エリアへの電磁波の照射が抑制されるため、塗布された機能液の劣化等を防止することができる。
【００３４】
（２）照射装置１１のノズル孔１７の配置を、吐出ヘッド１２ａ，１２ｂにおけるノズル孔１７の配置と同じにしたので、電磁波光を塗布された液滴ドット位置に精度よく照射させることができる。
【００３５】
（３）ノズル孔１７毎に照射部２０を設置したので、ヘッドユニット４の走査毎に照射領域を設定することができ、さらに、効率よく電磁波を照射できるとともに、消費電力を低減させることができる。
【００３６】
なお、本発明は上述した実施形態に限定されず、上述した実施形態に種々の変更や改良などを加えることが可能である。変形例を以下に述べる。
【００３７】
（変形例１）上記実施形態の照射装置１１において、照射された電磁波を集光させる集光部を備えてもよい。図５は、変形例にかかる照射装置の構成を示す概略図である。図５に示すように、例えば、貫通孔としてのノズル孔１７の開口部分に、電磁波の照射方向に対して凸形状を有する凸レンズ３０を形成する。このようにすれば、さらに、効率的に電磁波の照射方向、照射領域を規制することができるとともに、容易に照射強度を高めることができる。
【００３８】
（変形例２）上記実施形態では、複数のノズル孔１７が形成され、各ノズル孔１７に対応して照射部２０を設けたが、これに限定されない。例えば、形成されたノズル孔１７の数よりも照射部２０の数が少なくてもよい。このようにしても、電磁波の照射方向を規制することができる。
【符号の説明】
【００３９】
１…液体吐出装置、４…ヘッドユニット、５…コントローラー、６…記録媒体、１０…キャリッジ、１１…照射装置、１２（１２ａ，１２ｂ）…吐出ヘッド、１３…基板としてのノズルプレート、１７…貫通孔としてのノズル孔、２０…照射部、２１…規制部、３０…凸レンズ。
【図１】
2012187530.tif 000003
【図２】
2012187530.tif 000004
【図３】
2012187530.tif 000005
【図４】
2012187530.tif 000006
【図５】
2012187530.tif 000007